(57)【要約】      （修正有）【課題】近年発達した携帯端末のアプリケーションに基づく精米運転の電子決済を行うことで、精米設備の使用利便性を向上させる精米設備の運転システムを提供する。【解決手段】建屋内に精米機９を備え、制御部１４が精米機９を駆動制御して玄米を精米処理する料金式の精米設備には、利用者の携帯端末Kと通信可能とする通信手段を備え、携帯端末Ｋで精米運転用のアプリケーションソフトＡを介して精米運転の決済を行う精米設備の運転システムであって、前記制御部１４に、携帯端末Ｋから送信される利用者情報を取得する手段と、精米運転終了後に釣銭を演算する手段と、釣銭をポイントとして発行するか現金で返却するかを選択する選択手段とを備え、発行されたポイントに基づいて携帯端末による精米運転を可能に構成した。【選択図】図４
2019107604.tif 000002
【特許請求の範囲】
【請求項１】
建屋内に精米機を備え、制御部が前記精米機を駆動制御して玄米を精米処理する料金式の精米設備には、利用者の携帯端末と通信可能とする通信手段を備え、前記携帯端末で精米運転用のアプリケーションソフトを介して精米運転の決済を行う精米設備の運転システムであって、
前記制御部に、前記携帯端末から送信される利用者情報を取得する手段と、
精米運転終了後に釣銭を演算する手段と、
前記釣銭をポイントとして発行とするか現金で返却するかを選択する選択手段と、
を備え、
発行された前記ポイントに基づいて前記携帯端末による前記精米運転が可能な精米設備の運転システム。
【請求項２】
ネットワークを利用して精米設備の設置場所を検索できる精米設備検出手段を構成し、前記精米設備検出手段で特定した精米設備の管理者システムに事前入金手段を構成し、前記特定した精米設備にて精米運転を行うとき利用金額を前記事前入金により決済する決済手段を構成した精米設備の運転システム。
【発明の詳細な説明】
【技術分野】
【０００１】
本発明は、料金を投入して精米する精米設備の運転システムに関する。
【背景技術】
【０００２】
コインを投入して料金による精米運転を行う以外に、携帯端末を精米設備の制御部と情報通信可能に構成し該携帯端末を介して料金を引き落とす電子決済の技術が特許文献１及び特許文献２に記載されている。
【先行技術文献】
【特許文献】
【０００３】
【特許文献１】特開２０１５−１２３３９１号公報
【特許文献２】特許第５５６０６５６号公報
【発明の概要】
【発明が解決しようとする課題】
【０００４】
特許文献１及び特許文献２にはポイントにより精米運転を行う技術は記載されていない。
【０００５】
本発明の目的は、近年発達した携帯端末のアプリケーションに基づく精米運転の電子決済を行うことで、精米設備の使用利便性を向上させることとする。
【課題を解決するための手段】
【０００６】
かかる従来技術の課題を解決するために、請求項１記載の発明は、建屋内に精米機を備え、制御部が精米機を駆動制御して玄米を精米処理する料金式の精米設備には、利用者の携帯端末と通信可能とする通信手段を備え、携帯端末で精米運転用のアプリケーションソフトを介して精米運転の決済を行う精米設備の運転システムであって、前記制御部に、携帯端末から送信される利用者情報を取得する手段と、精米運転終了後に釣銭を演算する手段と、釣銭をポイントとして発行するか現金で返却するかを選択する選択手段とを備え、発行されたポイントに基づいて携帯端末による精米運転が可能な精米設備の運転システムとする。
【０００７】
これによって、現金を投入せずとも精米運転を行うことができる。
【０００８】
請求項２記載の発明は、ネットワークを利用して精米設備の設置場所を検索できる精米設備検出手段を構成し、この精米設備検出手段で特定した精米設備の管理者システムに事前入金手段を構成し、前記特定した精米設備にて精米運転を行うとき利用金額を前記事前入金により決済する決済手段を構成した。
【０００９】
これによって、場所を問わず任意の精米設備に事前入金でき、後に精米運転を行うときに現金を必要とせず便利である。
【発明の効果】
【００１０】
本発明により、ポイントによる精米運転が可能となり、現金を準備せずともよく、利便性のよい精米設備を提供することができる。
【図面の簡単な説明】
【００１１】
【図１】正面から見た客室を示す図
【図２】平面から見た精米設備の内部を示す図
【図３】精米設備の作業工程図
【図４】制御ブロック図
【図５】制御システム図
【図６】（Ａ）〜（Ｈ）：利用者の携帯端末画面を示す図
【図７】（Ａ）、（Ｂ）：ポイント発行例
【図８】フローチャート図
【発明を実施するための形態】
【００１２】
本発明の精米設備の運転システムにかかる実施の形態の料金式精米設備について以下説明する。
【００１３】
図２に示すように精米設備は、建屋１を仕切壁２で前後方向に機械室３と客室４に仕切る構成である。なお、本実施例では客室４側を前側と呼び機械室３側を後側と呼ぶ。
【００１４】
精米設備内には、利用者が持参した玄米を収容する投入ホッパ５と、投入ホッパ５内の玄米を繰り出すロータリバルブ６と、繰り出された玄米を受けて揚穀する昇降機７と、玄米中に混在する石を選別分離する石抜機８と、玄米を精米処理して精白米とする精米機９と、精白米を収容する白米タンク１０を設ける。
【００１５】
投入ホッパ５と白米タンク１０は客室４側に設け、昇降機７・石抜機８・精米機９は機械室３側に設ける。投入ホッパ５は客室４の左右一側に設け、白米タンク１０は客室４の左右他側に設ける。投入ホッパ５と白米タンク１０の間には、その盤面に精白度を設定する精白度選択スイッチ１１、料金を投入する料金投入口１２、釣銭返却口１５等を配設した制御盤を設ける。投入ホッパ５の前側には、投入ホッパ５の投入口を閉鎖・開放する開閉扉１３を設ける。料金投入口１２の近傍にはＱＲコード（登録商標）ｄを設ける。
【００１６】
前記制御盤内には、図４に示すように精米運転を制御する制御部１４を設け、制御部１４には、利用者の携帯端末Ｋと通信可能とする通信機器（通信手段）１５を接続する。投入ホッパ５内には投入玄米の有無を検出する玄米有無検出センサ１６を設ける。玄米有無検出センサ１６は投入ホッパ５以外でも精米機９の前工程側であれば取り付け可能である。
【００１７】
精米設備管理システムは、クラウドシステムを採用し、ネットワーク中に、各地に設置された精米設備ａ，ｂ・・・の制御部１４ａ、１４ｂ・・・、クラウドサーバーＳ、精米設備ａ，ｂ・・・毎の精米設備設置者による管理者用コンピュータＣａ，Ｃｂ・・・、製造者による製造者用コンピュータＣｐ等を含んで構成される（図５）。
【００１８】
ここで、クラウドサーバーＳには、管理者用コンピュータＣａ，Ｃｂ・・・又は製造者用コンピュータＣｐからアップロードされた管理者用プログラムや製造者用プログラムが格納され、位置情報、精米運転情報、課金及び決済情報等を精米設備ａ，ｂ・・・毎に対応させて格納する。また、製造者用コンピュータＣｐからアップロードされ精米運転に必要な操作手順等を格納した精米設備運転制御に共通のアプリケーションソフトＡを格納している。
【００１９】
携帯端末ＫにはクラウドサーバーＳに格納されるアプリケーションソフトＡをダウンロードし、必要なプログラムがインストールできるよう構成している。そして、精米設備ａ，ｂ・・・のうち特定の精米設備に指定して各種通信を実行することができる。図５では、精米設備ａに携帯端末Ｋａを精米設備ｂには携帯端末Ｋｂを各対応させている。例えば、格納される運転管理システムを介して設備の位置情報のほか空き情報の取得やこれに関連する運転予約情報の送受信等がある。また例えば、格納される課金決済システムを介して特定利用者に対し電子決済のための入金や利用ポイントの収受決済情報、利用回数や利用運転時間に対して発行される付加ポイントの累積数確認情報等である。なお、本実施例では後述のように、現金による入金はチャージポイントとしてポイント数に換算され、上記の利用回数や利用運転時間に対して発行される上記付加ポイントと合算されて扱うシステムとなっている。
【００２０】
なお、精米運転時はアプリケーションソフトＡを起動した状態で前述の料金による精米運転を行うと、利用した料金に応じて付加ポイントが発行される。付加ポイントが発行されると、ポイントを利用して精米運転が可能となる。あるいは、設定以上のポイントが累積されると精米運転を可能としても良い。
【００２１】
次に、料金投入口１２に現金を投入して精米運転を行う手順について説明する。
【００２２】
利用者が料金投入口１２に料金を投入したことを、料金投入検出センサ１７が検出すると、制御部１４は検出情報を入力し開閉扉１３に開放出力し、開閉扉１３は開放動作をする。利用者は、持参した玄米を投入ホッパ５に投入して精白度選択スイッチ１１で所望の精白度（例えば無洗米・標準・分搗き）を選択する。制御部１４は精白度選択スイッチ１１の選択情報を受けて装置各部に運転開始出力する。
【００２３】
装置各部が運転すると、ロータリバルブ６で投入ホッパ５内の玄米を繰り出し、昇降機７で搬送し、石抜機８で石抜処理し、精米機９で精米処理されて精白米となり白米タンク１０に排出される。料金に対応する運転時間が経過するか、精米機９に供給される玄米が無くなったことを玄米有無検出センサ１６が検出すると、制御部１４は運転停止出力し、その所定時間後に精米運転は終了する。精米運転停止出力から設定時間が経過すると、開閉扉１３が閉鎖する。精米運転終了時、釣銭がある場合には、釣銭返却口１５の近傍に設けた釣銭ランプ１５ａを点滅させる。利用者は、この釣銭ランプ１５ａの表示を見て、現金で回収するかポイントして受け取るかを選択する。現金で回収する場合は、釣銭ボタン１５ｂをオンすると、釣銭返却口１５から出てくる釣銭を回収できる。一方、釣銭ポイントの発行を希望する場合には、アプリケーションソフトＡを起動し、利用者に関する所定項目を入力の後、クラウドサーバーＳを介して利用中の精米設備の管理者プログラムまたは管理者用コンピュータＣａ、Ｃｂ・・・との通信を確認すると、携帯端末の画面から釣銭ポイント発行希望の選択をする。この場合、プログラムでメッセージ表記しておき、タッチ入力できる構成とすると便利である。この発行された釣銭ポイントは、次回精米設備運転の際に利用できる。
【００２４】
次に、アプリケーションソフトＡによる精米運転について説明する。
【００２５】
まず、利用者設定の手順について、利用者は、携帯端末Ｋを精米設備のＱＲコードｄにかざすと、アプリケーションソフトＡの格納されるクラウドサーバーＳと通信接続し、アプリケーションソフトＡをダウンロード取得する。アプリケーションソフトＡは無料で取得できる。そして、アプリケーションソフトＡの起動に基づいて表示される画面に順次氏名等の登録名と電話番号、メールアドレス等の情報を登録すると（図５のＡ及びＦ参照）利用者設定が完了する。
【００２６】
ここで、設定された利用者の携帯端末Ｋには、予めクラウドサーバーＳに格納された利用対象となる精米設備と当該利用者情報をリンクさせて開示することができる。例えば、精米設備識別記号とともに、現在のチャージポイント情報や付加ポイント、及び前記釣銭ポイントを合算した累積ポイント情報がある。
【００２７】
次いで、精米運転と決済処理の概要について説明すると、利用者は、携帯端末Ｋの「精米機を利用する」の表示をタッチする。この携帯端末Ｋへの運転開始指令情報は、一旦クラウドサーバーＳに送信され、クラウドサーバーＳによるチャージ金額情報及び／又は累積ポイント数情報に基づく判断で、運転許可情報が精米設備の制御部１４に出力される。こうして精米設備の各部は精米運転される。制御部１４は、供給された玄米の処理が終了するまで運転継続して終了し、運転時間に基づいて決済処理する。予め入金した金額と累積ポイント数を全て充当してもなお玄米が装置内に残る場合は、携帯端末Ｋ画面に「チャージしてください」又は「現金を投入してください」など、警告表示して、継続して精米運転するように促す。
【００２８】
次に、ポイントと料金を併用して精米運転をする場合について説明する。
【００２９】
例えば、玄米１０ｋｇを精米運転毎に１００円又は１００ポイントが必要で、投入料金１００円利用した毎に１０ポイントの付加ポイントが発行されるとする。このとき、前回までの付加ポイントやチャージポイント更には前述釣銭ポイント等の合算で、１５０ポイントが既に発行されていたとする。
【００３０】
利用者が料金を料金投入口１２に投入するか、又はアプリケーションソフトＡを起動すると、開閉扉１３が開放作動する。このとき、ポイントが残存している場合には開閉扉１３が開放動作する構成にしても良い。利用者は持参した玄米を投入ホッパ５に投入し、利用者は携帯端末Ｋで利用するポイント数を設定し、精白度選択スイッチ１１を選択すると、制御部１４からの運転開始信号で精米運転を開始する。本実施の形態では、持参した玄米が約３０ｋｇで、投入料金が３００円、設定したポイントが１００ポイント（図５のＣ参照）であったとする。
【００３１】
精米運転では、まず、設定したポイントから減算処理がなされ、設定ポイント数分の精米運転時間が経過すると、精米運転を継続しつつ投入料金から減算処理される。３０ｋｇ精米処理するのに１００ポイントと２００円を順次減算処理し、精米機９に供給される玄米が無くなったことを検出すると、精米運転は終了し、制御部１４にて当該精米運転の決済処理後、釣銭１００円が釣銭返却口１５から返却される。
【００３２】
そして、携帯端末Ｋには、今回の使用したポイント（１００ポイント）状況及び発行されたポイント（投入料金２００円により２０ポイント）が表示される（図６のＤ参照）。
【００３３】
次に、利用可能なポイントが１５０ポイントで、投入した料金が１００円で、設定したポイントが１００ポイントであり、利用者が持参した玄米が約２５ｋｇであった場合について説明する。
【００３４】
精米運転開始後、前述の通り、まず、設定した１００ポイント、次に投入した料金１００円分が減算処理され、通常、このとき、約２０ｋｇの玄米が精米処理される。この１００ポイント及び１００円分の精米運転時間が経過した時点で玄米有無検出センサ１６が玄米有を検出していると、残りの５０ポイントを利用するか否かを携帯端末Ｋに表示し、利用者に選択を促す。このとき、精米運転は一旦停止する。利用者がポイントを使用することを選択すると、精米運転が再開し、ポイントによる精米運転を継続する。あるいは新たに料金投入を選択して精米運転を再開してもよい。
【００３５】
現金の場合１００円単位で減算されるよう構成する精米設備において、ポイントの場合には、１ポイント毎に減算する構成としても良い。すなわち、１００ポイントで１０Ｋｇの玄米を精米処理できる構成の場合、１ポイントで１００ｇ単位の精米処理が可能となる。これにより、現金１０円単位の高価なコインメックが必要とされず、１００円単位の安価なコインメックを使用しながら、少量単位の玄米をポイントにより精米処理することができる。
【００３６】
次に、料金を投入しないでポイントで精米運転を開始した場合について、図８のフローチャートに基づき説明する。
【００３７】
利用者が客室４内で既に携帯端末Ｋに設定されているアプリケーションソフトＡを起動し（Ｓ１０１）、携帯端末Ｋ画面に表示された「コイン精米機を利用する」をタッチ操作する（Ｓ１０２）。制御部１４は個別に通信可能に連携されたクラウドサーバーＳ上の管理者プログラムあるいは管理者用コンピュータＣａ，Ｃｂ・・・との通信により、当該利用者に関する累積ポイント数を受信し、累積ポイント数が予め設定した基準ポイント数αと比較し、この基準ポイント数αを超えていると開閉扉１３に開放出力する（Ｓ１０３〜Ｓ１０５）。ここで、基準ポイント数αとは、予め設定した下限精米量（例えば１ｋｇ）を処理するに必要なポイント数である。利用者が玄米を投入ホッパ５に投入して精白度選択スイッチ１１を選択すると（Ｓ１０６，Ｓ１０７）、精米設備の運転各部に起動出力され精米運転が開始する（Ｓ１０８）。ポイントの減算処理がなされ（Ｓ１０９）、ポイントの減算によってもポイントが無くならないで、玄米有無検出センサ１６がオフすると（Ｓ１１０，Ｓ１１１）、投入玄米は全て正規の精白処理を受けられたこととなり、運転各部は停止出力され運転停止する（Ｓ１１２）。そして直ちに、制御部１４は決済処理を行う（Ｓ１１３）。ここで決済処理の具体的な内容は、運転時間に対応する使用ポイント数を演算し、予め累積していたポイント数との差から残存するポイント数を算出することである。そして、これらのポイントデータは、クラウドサーバーＳを介して管理者用コンピュータＣａ，Ｃｂ・・・に送信され、同時に携帯端末Ｋへの出力を行わせる（Ｓ１１４）。上記Ｓ１０４において、累積ポイント数が基準ポイントα以下の場合、つまり予め設定された最小処理量に見合う時間の運転が不可と判定された場合には、ポイントの追加を促す警告表示がなされ、クラウドサーバーＳの管理者用プログラムが所定の入金を認識すると、入金金額はチャージポイントに換算され、既に保有されているポイントに加算される（Ｓ１１５〜Ｓ１１７）。新たな累積ポイントはステップ１０４に戻って精米運転に利用されることとなる。
【００３８】
前記Ｓ１１０で、ポイント減算して「０」になったとき、つまり利用可能なポイントに対応する運転時間が経過したときに、玄米有無検出センサ１６が玄米有を検出すると、精米運転は一旦停止し、利用者に新たに投入料金を投入することを促すよう携帯端末Ｋに表示する（Ｓ１１８〜Ｓ１２０）。そして、クラウドサーバーＳの管理者用プログラムが所定の入金を認識すると、入金金額はチャージポイントに換算され、既に保有されているポイントに加算され（Ｓ１２１，Ｓ１２２）、運転各部に再起動出力される（Ｓ１２３）．なお、Ｓ１１８で玄米有無検出センサ１６がオフする場合は、投入玄米に対して過不足なくポイント処理された場合であって、予め利用ポイントを設定入力できる形態において発生しうる。
【００３９】
本実施の形態のアプリケーションソフトＡのポイントは前記基準ポイント数αとして設定ポイント（例えば１００ポイント）に到達すると精米運転の開始から利用できるようにし、設定ポイント未満の端数のポイントについては、精米運転開始後に途中でポイント及び料金に到達し、かつ、玄米有無検出センサ１６が玄米を検出しているときに、利用できるようにしても良い。すなわち、前述の利用可能なポイントが１５０ポイントで、投入した料金が１００円で、設定したポイントが１００ポイントであり、利用者が持参した玄米が約２５ｋｇであった場合に、２０ｋｇを現金１００円と１００ポイントで精米処理し、残りの５ｋｇを５０ポイントで精米処理できる。
【００４０】
次に、精米運転中に、精米機９が異常停止した場合の処理について説明する。
【００４１】
精米運転が異常停止したとき、クラウドサーバーＳを通じて管理者用コンピュータＣａ，Ｃｂ・・・に例えばメールで送信する旨の表示がなされる（図６のＧ参照）。利用者がその旨を送信すると、設定のポイントが発行される。これにより、利用者による異常停止の通報の促進を図り、管理者による迅速な対応が可能となる。
【００４２】
図６の利用者の携帯端末Ｋの画面表示の例について、以下説明する。
【００４３】
図６の（Ａ）は精米運転前の利用状況の表示及びポイントの利用の設定のスイッチを設けている。図６の（Ｂ）は、利用者の携帯端末Ｋと制御部１４が通信できなかった時の表示である。本実施の形態の通信は建屋１の近傍で通信可能な通信機器１５を使用している。図６の（Ｃ）はポイント数の設定の画面。図６の（Ｄ）は精米運転後のポイントの利用状況を示す画面。図６の（Ｅ）は、精米運転利用の領収証の一例を示す画面。図６の（Ｆ）は利用者情報の登録を設定する画面。図６の（Ｇ）は精米運転中に異常停止したことを表示する画面。図６の（Ｈ）は利用者が送信して管理者用コンピュータＣａ，Ｃｂ・・・に表示されるメールの画面である。なお管理者用コンピュータＣａ，Ｃｂ・・・については、利用者の携帯端末Ｋと同様に、タブレット型やスマートフォン型の携帯端末にしてもよい。
【００４４】
アプリケーションソフトＡを起動した精米運転の際のポイント発行の一例について、図７に基づいて説明する。
【００４５】
例えば、前述のとおり、１０ｋｇ玄米を精米処理する毎に１００円を課金設定し、その場合の付加ポイントは１０ポイントとしている。ところが、例えば、連続で３０Ｋｇより多い玄米量を精米運転する場合には、付加ポイントを加算しても良い。すなわち、例えば４０ｋｇで４００円分を運転すると、３０ｋｇで３００円分は１００円につき１０ポイントで３０ポイントとし、残りの１００円につき２０ポイントとして合計５０ポイントにする（精米運転時の付加ポイント発行例）。あるいは、４００円分を連続で精米運転すると１００円につき２０ポイントとして合計で８０ポイントの付加ポイントにしても良い。これにより、多量の精米運転をする大口の利用者による利用を促進することができる。
【００４６】
次に、精米運転を行わないで、現金をポイントに変えるチャージポイント発行の方法について説明する。
【００４７】
利用者がアプリケーションソフトＡを起動した状態で、チャージスイッチ２０を操作して現金を料金投入口１２に投入する。精米運転は行わないで、投入した料金をポイント数に換算して発行するもので、管理者プログラムに利用者と共に加算記憶する。この現金からポイント数への換算ポイントをチャージポイントとしている。図７にチャージスイッチ２０がＯＮ時のチャージポイント発行例を示している。チャージスイッチによる現金投入時には精米運転を行わないので１００円に対応する１００ポイントがチャージポイントとして発行される。
【００４８】
なお、図７における実施例では、チャージスイッチ２０のＯＮ時のチャージポイント発行例として、１００円をチャージポイントに換算する毎に１０ポイントの付加ポイントが加算され、４００円以上投入すると２０ポイントの付加ポイントが加算される。これにより、利用者は一度に多くの料金をポイント化することで、ポイントの加算による精米運転可能時間を多くすることができる。また、精米運転の度に現金を投入する手間を省くことができる。また、前述のとおり、ポイントは現金よりも少量単位の玄米を精米処理できるので、効率の良い精米運転を行うことができる。
【００４９】
なお、チャージスイッチ２０を操作して現金を投入する時は開閉扉１３を開放動作しないか、又は、アプリケーションソフトＡを起動して開閉扉１３が開いた後にチャージスイッチ２０を操作すると開閉扉１３を閉じる構成にしても良い。
【００５０】
次に、アプリケーションソフトＡで精米運転すると、当該精米運転を行った時の精白度を利用者情報として制御部１４又は制御部１４と通信できる管理者プログラムに付帯する記憶部に記憶しておく。そして、次回の精米運転において、アプリケーションソフトＡを起動して開閉扉１３が開いて玄米を投入したことを玄米有無検出センサ１６が検出すると自動的に精米運転を開始する構成にしても良い。これにより、精米運転の度に精白度選択スイッチ１１を操作する手間を省くことができる。
【００５１】
前記のように、本実施例では、チャージポイント取得のために制御盤に設ける料金投入口１２に現金を投入すると、チャージポイントに換算して発行加算できる構成としているから、前記図８のフローチャートにおけるＳ１１６及びＳ１２２のチャージスイッチ２０操作の際に、直ちに対応することができる。
【００５２】
ところで、精米設備における現金投入以外に、異なる場所から現金をチャージすることによって、管理者用コンピュータＣａ，Ｃｂ・・・に利用者毎にチャージポイントを蓄積できる構成とすることもできる。即ち、各地に設置された精米設備を前記クラウドサーバーＳのようなネットワークシステムにて一元的に管理し検索可能に構成する（精米設備検出手段）。そして、この精米設備検出手段で特定した精米設備の管理者システムとしての管理者プロブラム又は管理者コンピュータＣａ，Ｃｂ・・・に事前入金手段を構成するものである。事前入金手段としては、例えば管理者の指定する金融機関へのカード入金システムやインターネットバンキングによる取引サービスを利用する。こうして管理者用プログラムまたは管理者用コンピュータＣａ，Ｃｂ・・・とクラウドサーバーＳを介して携帯端末Ｋで通信を行いながら精米運転を行った後の決済処理を上記事前入金によって行うことができる。これによって、利用者はチャージポイント取得の場所と時刻の制約から解放される。
【００５３】
また、この実施例では、現金をチャージポイントに換算する形態としたから、精米運転利用の際に奨励的に付加される付加ポイントとの合算をすることができ、決済管理を容易にでき、利用者にも便利である。なお、事前入金をチャージポイントに変換することなく利用することもできる。
【符号の説明】
【００５４】
１  建屋
９  精米機
１４  制御部
Ａ  アプリケーションソフト
Ｋ  携帯端末
【図１】
2019107604.tif 000003
【図２】
2019107604.tif 000004
【図３】
2019107604.tif 000005
【図４】
2019107604.tif 000006
【図５】
2019107604.tif 000007
【図６】
2019107604.tif 000008
【図７】
2019107604.tif 000009
【図８】
2019107604.tif 000010